(57)【要約】【課題】保持器を使用せずに、玉を傷つけることなく、アンギュラ玉軸受を積み重ねることができるアンギュラ玉軸受を提供する。【解決手段】アンギュラ玉軸受１０は、内周面に軌道面１１ａが設けられる外輪１１と、外周面に軌道面１２ａが設けられる内輪１２と、軌道面１１ａ，１２ａ間に接触角αを持って転動自在に設けられる複数の玉１３と、を備え、外輪１１の軸方向中心位置と内輪１２の軸方向中心位置とが軸方向でオフセットされていると共に、外輪１１及び内輪１２の一部が径方向から見て重なり合うように構成され、外輪１１の軸方向寸法Ｂ１は、玉１３の直径寸法Ｄよりも大きく設定され、玉１３は、外輪１１の軸方向両端面から軸方向外方に突出しない。【選択図】図１
2012229783.tif 000002
【特許請求の範囲】
【請求項１】
内周面に軌道面が設けられる外輪と、外周面に軌道面が設けられる内輪と、前記外輪の前記軌道面と前記内輪の前記軌道面との間に接触角を持って転動自在に設けられる複数の玉と、を備え、
前記外輪の軸方向中心位置と前記内輪の軸方向中心位置とが軸方向でオフセットされていると共に、前記外輪及び前記内輪の一部が径方向から見て重なり合うアンギュラ玉軸受であって、
前記外輪の軸方向寸法は、前記玉の直径寸法よりも大きく設定され、
前記玉は、前記外輪の軸方向両端面から軸方向外方に突出しないことを特徴とするアンギュラ玉軸受。
【請求項２】
内周面に軌道面が設けられる外輪と、外周面に軌道面が設けられる内輪と、前記外輪の前記軌道面と前記内輪の前記軌道面との間に接触角を持って転動自在に設けられる複数の玉と、を備え、
前記外輪の軸方向中心位置と前記内輪の軸方向中心位置とが軸方向でオフセットされていると共に、前記外輪及び前記内輪の一部が径方向から見て重なり合うアンギュラ玉軸受であって、
前記内輪の軸方向寸法は、前記玉の直径寸法よりも大きく設定され、
前記玉は、前記内輪の軸方向両端面から軸方向外方に突出しないことを特徴とするアンギュラ玉軸受。
【発明の詳細な説明】
【技術分野】
【０００１】
この発明は、アンギュラ玉軸受に関し、より詳細には、各種重機械装置の回転軸を支持する高負荷容量のアンギュラ玉軸受に関する。
【背景技術】
【０００２】
従来のアンギュラ玉軸受３０は、図５に示すように、内周面に軌道面３１ａが設けられる外輪３１と、外周面に軌道面３２ａが設けられる内輪３２と、軌道面３１ａ，３２ａ間に転動自在に設けられる複数の玉３３と、を備える。そして、この種の軸受は、例えば、産業用ロボットや建設機械用の減速装置等の各種重機械装置に組み込まれている。
【０００３】
近年、これら重機械装置の小型化及び軽量化に伴い、この種の軸受も同様にコスト低減化のみならず軸受の軽量化が求められるようになった。そして、コスト低減化及び軽量化を目指して、アンギュラ玉軸受３０の軸方向寸法と比較して、外輪３１及び内輪３２の軸方向寸法を小さくすることが行われている。これにより、外輪３１及び内輪３２の軸方向寸法が狭くなるため、玉３３の一部が外輪３１又は内輪３２の軸方向端面から突出する。
【０００４】
一方、この種の軸受を製造する際、特に、組立工程や搬送工程の際には、組み上がった複数のアンギュラ玉軸受３０を軸方向に積み重ねるため、図６に示すように、前述した玉３３の突出する部分が、積み重ねられる相手側の外輪３１又は内輪３２に接触して、玉３３の表面が傷つく可能性がある。
【０００５】
そこで、この傷の発生を防止するため、従来のアンギュラ玉軸受では、保管及び搬送の際、保持器を支えとしてアンギュラ玉軸受を積み重ねるものが知られている（例えば、特許文献１参照）。
【先行技術文献】
【特許文献】
【０００６】
【特許文献１】特開２００８−３９０６９号公報
【発明の概要】
【発明が解決しようとする課題】
【０００７】
しかしながら、上記特許文献１に記載のアンギュラ玉軸受では、積み重ねられたアンギュラ玉軸受を保持器で支持するため、保持器に大きな荷重が負荷され、保持器の強度上好ましくなかった。また、上記特許文献１に記載のアンギュラ玉軸受では、保持器で積み重ねることを前提にしているため、保持器の設計の自由度に制限が生じていた。
【０００８】
本発明は、前述した事情に鑑みてなされたものであり、その目的は、保持器を使用せずに、玉を傷つけることなく、アンギュラ玉軸受を積み重ねることができるアンギュラ玉軸受を提供することにある。
【課題を解決するための手段】
【０００９】
本発明の上記目的は、下記の構成により達成される。
（１）内周面に軌道面が設けられる外輪と、外周面に軌道面が設けられる内輪と、外輪の軌道面と内輪の軌道面との間に接触角を持って転動自在に設けられる複数の玉と、を備え、外輪の軸方向中心位置と内輪の軸方向中心位置とが軸方向でオフセットされていると共に、外輪及び内輪の一部が径方向から見て重なり合うアンギュラ玉軸受であって、外輪の軸方向寸法は、玉の直径寸法よりも大きく設定され、玉は、外輪の軸方向両端面から軸方向外方に突出しないことを特徴とするアンギュラ玉軸受。
（２）内周面に軌道面が設けられる外輪と、外周面に軌道面が設けられる内輪と、外輪の軌道面と内輪の軌道面との間に接触角を持って転動自在に設けられる複数の玉と、を備え、外輪の軸方向中心位置と内輪の軸方向中心位置とが軸方向でオフセットされていると共に、外輪及び内輪の一部が径方向から見て重なり合うアンギュラ玉軸受であって、内輪の軸方向寸法は、玉の直径寸法よりも大きく設定され、玉は、内輪の軸方向両端面から軸方向外方に突出しないことを特徴とするアンギュラ玉軸受。
【発明の効果】
【００１０】
本発明によれば、外輪又は内輪の軸方向寸法が、玉の直径寸法よりも大きく設定され、玉が、外輪又は内輪の軸方向両端面から軸方向外方に突出しないため、軸受を積み重ねる際の支持が外輪又は内輪で行われる。これにより、保持器を使用せずに、玉を傷つけることなく、アンギュラ玉軸受を積み重ねることができる。
【図面の簡単な説明】
【００１１】
【図１】本発明に係るアンギュラ玉軸受の第１実施形態を説明する要部拡大断面図である。
【図２】図１に示すアンギュラ玉軸受を積み重ねた状態の要部拡大断面図である。
【図３】本発明に係るアンギュラ玉軸受の第２実施形態を説明する要部拡大断面図である。
【図４】図３に示すアンギュラ玉軸受を積み重ねた状態の要部拡大断面図である。
【図５】従来のアンギュラ玉軸受を説明するための要部拡大断面図である。
【図６】図５に示すアンギュラ玉軸受を積み重ねた状態の要部拡大断面図である。
【発明を実施するための形態】
【００１２】
以下、本発明に係るアンギュラ玉軸受の各実施形態について、図面に基づいて詳細に説明する。
【００１３】
（第１実施形態）
まず、図１及び図２を参照して、本発明に係るアンギュラ玉軸受の第１実施形態について説明する。
【００１４】
本実施形態のアンギュラ玉軸受１０は、図１に示すように、薄肉タイプのアンギュラ玉軸受であって、内周面に軌道面１１ａを有するカウンターボア形状（軸方向片側に肩部を有しない形状）の外輪１１と、外周面に軌道面１２ａを有するカウンターボア形状の内輪１２と、軌道面１１ａ，１２ａ間に接触角αを持って転動自在に設けられる複数の玉１３と、を備える。また、外輪１１、内輪１２、及び玉１３は、高炭化クロム軸受鋼、浸炭軸受用鋼、転がり軸受用ステンレス鋼などの鉄鋼を用いて製造される。
【００１５】
また、外輪１１及び内輪１２は、それぞれのカウンターボア側の軸方向寸法を短くすることで、外輪１１の軸方向中心位置Ｃ１と内輪１２の軸方向中心位置Ｃ２とが軸方向でオフセットするように（図１では、外輪１１が下方に位置するように）、且つ外輪１１及び内輪１２の一部が径方向から見て重なり合うように組み付けられている。
【００１６】
そして、本実施形態では、外輪１１の軸方向寸法Ｂ１は、玉１３の直径寸法Ｄよりも大きく設定されている。これにより、玉１３が外輪１１の軸方向両端面から軸方向外方に突出しないようになっている。また、内輪１２の軸方向寸法Ｂ２は、外輪１１の軸方向寸法Ｂ１且つ玉１３の直径寸法Ｄよりも小さく設定されている。
【００１７】
また、外輪１１の軸方向下端部及び内輪１２の軸方向上端部には、肩部１１ｂ，１２ｂがそれぞれ形成されており、内輪１２の肩部１２ｂの軸方向寸法Ｂ４は、外輪１１の軸方向寸法Ｂ１から玉１３の直径寸法Ｄを引いた値よりも小さく設定されている。また、肩部１１ｂ，１２ｂの径方向寸法が等しい場合、内輪１２の肩部１２ｂの軸方向寸法Ｂ４は、外輪１１の肩部１１ｂの軸方向寸法Ｂ３よりも小さく設定されていてもよい。
【００１８】
このように構成されたアンギュラ玉軸受１０では、例えば、２個のアンギュラ玉軸受１０を積み重ねた場合、図２に示すように、下段のアンギュラ玉軸受１０の外輪１１の上に、上段のアンギュラ玉軸受１０の外輪１１が載置されて、上段のアンギュラ玉軸受１０が下段のアンギュラ玉軸受１０の外輪１１で支持される。また、下段のアンギュラ玉軸受１０の内輪１２が上段のアンギュラ玉軸受１０の玉１３に接触しないので、玉１３が傷つくことはない。
【００１９】
以上説明したように、本実施形態のアンギュラ玉軸受１０よれば、外輪１１の軸方向寸法Ｂ１が、玉１３の直径寸法Ｄよりも大きく設定され、玉１３が、外輪１１の軸方向両端面から軸方向外方に突出しないため、軸受１０を積み重ねる際の支持が外輪１１で行われる。これにより、玉１３を傷つけることなく、アンギュラ玉軸受１０を積み重ねることができる。また、軸受１０の積み重ねに保持器を使用しないので、保持器の設計の自由度を向上することができる。
【００２０】
（第２実施形態）
次に、図３及び図４を参照して、本発明に係るアンギュラ玉軸受の第２実施形態について説明する。なお、上記第１実施形態と同一又は同等部分については、図面に同一或いは同等符号を付してその説明を省略或いは簡略化する。
【００２１】
本実施形態のアンギュラ玉軸受２０では、図３に示すように、外輪１１及び内輪１２は、それぞれのカウンターボア側の軸方向寸法を短くすることで、外輪１１の軸方向中心位置Ｃ１と内輪１２の軸方向中心位置Ｃ２とが軸方向でオフセットするように（図３では、内輪１２が下方に位置するように）、且つ外輪１１及び内輪１２の一部が径方向から見て重なり合うように組み付けられている。
【００２２】
また、本実施形態では、内輪１２の軸方向寸法Ｂ２は、玉１３の直径寸法Ｄよりも大きく設定されている。これにより、玉１３が内輪１２の軸方向両端面から軸方向外方に突出しないようになっている。また、外輪１１の軸方向寸法Ｂ１は、内輪１２の軸方向寸法Ｂ２且つ玉１３の直径寸法Ｄよりも小さく設定されている。
【００２３】
また、外輪１１の軸方向上端部及び内輪１２の軸方向下端部には、肩部１１ｂ，１２ｂがそれぞれ形成されており、外輪１１の肩部１１ｂの軸方向寸法Ｂ３は、内輪１２の軸方向寸法Ｂ２から玉１３の直径寸法Ｄを引いた値よりも小さく設定されている。また、肩部１１ｂ，１２ｂの径方向寸法が等しい場合、外輪１１の肩部１１ｂの軸方向寸法Ｂ３は、内輪１２の肩部１２ｂの軸方向寸法Ｂ４よりも小さく設定されていてもよい。
【００２４】
このように構成されたアンギュラ玉軸受２０では、例えば、２個のアンギュラ玉軸受２０を積み重ねた場合、図４に示すように、下段のアンギュラ玉軸受２０の内輪１２の上に、上段のアンギュラ玉軸受２０の内輪１２が載置されて、上段のアンギュラ玉軸受２０が下段のアンギュラ玉軸受２０の内輪１２で支持される。また、下段のアンギュラ玉軸受２０の外輪１１が上段のアンギュラ玉軸受２０の玉１３に接触しないので、玉１３が傷つくことはない。
【００２５】
以上説明したように、本実施形態のアンギュラ玉軸受２０よれば、内輪１２の軸方向寸法Ｂ２が、玉１３の直径寸法Ｄよりも大きく設定され、玉１３が、内輪１２の軸方向両端面から軸方向外方に突出しないため、軸受２０を積み重ねる際の支持が内輪１２で行われる。これにより、玉１３を傷つけることなく、アンギュラ玉軸受２０を積み重ねることができる。また、軸受２０の積み重ねに保持器を使用しないので、保持器の設計の自由度を向上することができる。
その他の構成及び作用効果については、上記第１実施形態と同様である。
【００２６】
なお、本発明は上記各実施形態に例示したものに限定されるものではなく、本発明の要旨を逸脱しない範囲において適宜変更可能である。
【符号の説明】
【００２７】
１０，２０    アンギュラ玉軸受
１１    外輪
１１ａ  軌道面
１２    内輪
１２ａ  軌道面
１３    玉
Ｂ１    外輪の軸方向寸法
Ｂ２    内輪の軸方向寸法
Ｄ    玉の直径寸法
α    接触角
【図１】
2012229783.tif 000003
【図２】
2012229783.tif 000004
【図３】
2012229783.tif 000005
【図４】
2012229783.tif 000006
【図５】
2012229783.tif 000007
【図６】
2012229783.tif 000008